(57)【特許請求の範囲】
【請求項１】
互いに隣接し、かつ対向する側端面に、互いに対応する複数の係合孔が、上下方向に間隔をあけて穿設されている間仕切パネルと、下部の前記係合孔に係合しうる上向き傾斜のフック部と、間仕切パネルの側端面に当接しうる当接面を両側に有する下部の駒部材と、上部の前記係合孔に係合しうる下向き傾斜のフック部と、間仕切パネルの側端面に当接しうる当接面を両側に有する上部の駒部材と、前記下部の駒部材に螺合されるとともに、前記上部の駒部材が回転自在に遊嵌され、これを上方に抜け止めする頭を有する連結杆とからなり、前記複数の係合孔のうち、互いに対応する上下２個を選んで、その下部の係合孔に、下部の駒部材における上向き傾斜するフック部を、また上部の係合孔に、上部の駒部材における下向き傾斜するフック部をそれぞれ係合させるとともに、前記連結杆を回転させることにより、各駒部材のフック部の傾斜面を前記係合孔に深く係合させて、両間仕切パネルを互いに引き寄せ、連結することを特徴とする間仕切パネルの連結装置。
【請求項２】
間仕切パネルを、側端部に外向きにコ字状の縦枠部材を有するものとし、この縦枠部材に、駒部材係止用の２個の係合孔を上下方向に間隔を隔てて穿設するとともに、駒部材を内部に収める前記縦枠部材の両側片の突出量を、上下部の各駒部材のフック部を除く部分の幅の半分としたことを特徴とする請求項１記載の間仕切パネルの連結装置。
【請求項３】
連結杆の頭部に、回転工具係合部を穿設したことを特徴とする請求項１または２記載の間仕切パネルの連結装置。
【発明の詳細な説明】
【０００１】
【発明の属する技術分野】
本発明は、ローパーティション等の間仕切パネルの連結装置に関する。
【０００２】
【従来の技術】
従来のこの種の間仕切パネルの連結装置の公知例としては、実開平５−５８７１３号公報に記載のものがある。
この従来技術では、連結用のロッドの頭部に遊嵌した連結具の下向きのテーパ溝を、隣り合う両パネル板の縦枠の上端に引っかけ、このロッドの下端に螺合させた係止片を縦枠の開口に差し込んでロッドを緊締し、縦枠同士を連結している。
しかし、上部の下向きテーパ溝を有する連結具、及び下部の引っかけ部分のない係合片だけでは、連結部の連結が弱く、例えばパネル板を前後に揺り動かすだけで、当該連結部にねじれが生じてしまう。
そのため、上部の連結具に延長板を延設し、この延長板をパネル板の上縁に設けたＶ字形溝に嵌合させて、連結部を強化する工夫がなされている。
【０００３】
【発明が解決しようとする課題】
上述の従来技術では、連結部の構造が複雑になるとともに、製作コストが高くつくという問題がある。
【０００４】
本発明の目的は、簡単な構造で有効な連結を果たすことができる間仕切パネルの連結装置を提供することにある。
【０００５】
【課題を解決するための手段】
本発明によると、上記課題は、次のようにして解決される。
(１) 互いに隣接し、かつ対向する側端面に、互いに対応する複数の係合孔が、上下方向に間隔をあけて穿設されている間仕切パネルと、下部の前記係合孔に係合しうる上向き傾斜のフック部と、間仕切パネルの側端面に当接しうる当接面を両側に有する下部の駒部材と、上部の前記係合孔に係合しうる下向き傾斜のフック部と、間仕切パネルの側端面に当接しうる当接面を両側に有する上部の駒部材と、前記下部の駒部材に螺合されるとともに、前記上部の駒部材が回転自在に遊嵌され、これを上方に抜け止めする頭を有する連結杆とからなり、前記複数の係合孔のうち、互いに対応する上下２個を選んで、その下部の係合孔に、下部の駒部材における上向き傾斜するフック部を、また上部の係合孔に、上部の駒部材における下向き傾斜するフック部をそれぞれ係合させるとともに、前記連結杆を回転させることにより、各駒部材のフック部の傾斜面を前記係合孔に深く係合させて、両間仕切パネルを互いに引き寄せ、連結する。
【０００６】
(２) 上記(１)項において、間仕切パネルを、側端部に外向きにコ字状の縦枠部材を有するものとし、この縦枠部材に、駒部材係止用の２個の係合孔を上下方向に間隔を隔てて穿設するとともに、駒部材を内部に収める前記縦枠部材の両側片の突出量を、上下部の各駒部材のフック部を除く部分の幅の半分とする。
【０００７】
(３) 上記(１)または(２)項において、連結杆の頭部に、回転工具係合部を穿設する。
【０００８】
【発明の実施の形態】
図１〜図３は、本発明の連結装置の一実施例を示す。
図１に示すように、いわゆるローパーティションを構成する２枚の間仕切パネル(１)(１)は、互いに側方に隣接するように配設されている。これらの間仕切パネル(１)の互いに対向する側端部には、上下方向を向くに縦枠部材(２)がねじ(３)により取り付けられ、間仕切パネル(１)の一構成要素となっている。この縦枠部材(２)は、先端部が互いに内向きに湾曲する１対の側片(2a)(2a)を有し、平面視において、ほぼ外向きコ字状をなしている。
【０００９】
縦枠部材(２)のほぼ中央には、図１に明示してあるように、複数すなわち３個のの係合孔(４)が、上下方向に等間隔で設けられている。
【００１０】
２枚の間仕切パネル(１)(１)間には、連結杆(６)が配置されている。連結杆(６)は、上部の駒部材(７)と、下部の駒部材(８)とを備えている。
図１及び図２に示すように、連結杆(６)は、頭部(6a)と下部の雄ねじ部(6b)とを有する細長い部材である。上部の駒部材(７)の貫通孔(7a)は、連結杆(６)の頭部(6a)を収容する拡大孔部を有している。また、下部の駒部材(８)は、連結杆(６)の雄ねじ部(6a)に螺合する雌ねじ孔(8a)を有している。
【００１１】
上部の駒部材(７)は、その両脇に張り出す下向き傾斜のフック部(7b)(7b)を有している。このフック部(7b)の厚さは、前述の縦枠部材(２)の係合孔(４)の幅とほぼ同一かまたはわずかに小としてある。
このフック部(7b)の付け根における駒部材(７)の側面は、縦枠部材(２)の外面に当接する当接面(7c)を形成している。駒部材(７)の両側部の当接面(7c)間の幅は、縦枠部材(２)の側片(2a)の突出量の２倍としてある。
【００１２】
下部の駒部材(８)は、その両脇に張り出す上向き傾斜のフック部(8b)(8b)を有している。このフック部(8b)の厚さも、上部の駒部材(７)のフック部(7b)と同様に、縦部材の係合孔(４)の幅とほぼ同一かまたはわずかに小としてある。また、上部の駒部材(７)と同様の当接面(8c)をも備えている。
【００１３】
間仕切パネル(１)(１)の連結に当たっては、まず連結杆(６)に、下方から上部の駒部材(７)を通し、その下方に下部の駒部材(８)をゆるく螺合させる。ついで、上部の駒部材(７)を持って、そのフック部(7b)を、一方の間仕切パネル(１)の縦枠部材(２)の最上部の(またはそれより下方の任意の)係合孔(４)に引っかける。それから、下部の駒部材(８)の螺合位置を調節しながら、そのフック部(8b)を、同じ縦枠部材(２)の下方の係合孔(４)に差し入れる。
【００１４】
他方の間仕切パネル(１)を引き寄せながら、同様に上下部の駒部材(７)(８)のフック部(7b)(8b)をその縦枠部材(２)の対応する係合孔(４)(４)に係合させる。
【００１５】
最後に、連結杆(６)の頭部(6a)に穿設した工具係合孔(6c)に六角レンチ等の回転工具(９)を挿入して連結杆(６)を回転させ、下部の駒部材(８)を持ち上げる。この操作により、フック部(8b)(7b)の傾斜面を次第に深くそれぞれ係合孔(４)(４)に係合させて両間仕切パネル(１)(１)を互いに引き寄せ、ついには、図３に示すように、これらのフック部(8b)(7b)と当接面(8c)(7c)との間に縦枠部材(２)(２)を挟み込んでしっかりと係止する。
【００１６】
なお、係合孔(４)を上下方向に複数個設けてあるから、互いに連結しようとする間仕切パネル(１)(１)の高さが異なる場合でも、例えばその低い方の間仕切パネルの側端面に形成された最上位の係合孔と、それより下位の適宜の係合孔とを選択し、かつそれらの係合孔とそれらに対応する高い方の間仕切パネルの側端面に形成された２個の係合孔とに上下部の駒部材(７)(８)の各(7b)(8b)を係合させて、両間仕切パネルを簡単に連結することができる。
【００１７】
【発明の効果】
請求項１記載の発明によれば、上下の駒部材とそれらを結合する連結杆との３部材からなる簡単な構造のみで、隣接する間仕切パネル同士を強力に締付けて連結することができる。
【００１８】
また、互いに連結しようとする間仕切パネルの高さが異なる場合でも、例えばその低い方の間仕切パネルの側端面に形成された最上位の係合孔と、それより下位の適宜の係合孔とを選択し、かつそれらの係合孔とそれらに対応する高い方の間仕切パネルの側端面に形成された２個の係合孔とに上下部の駒部材の各フック部を係合させて、両間仕切パネルを簡単に連結することができる。
【００１９】
さらに、駒部材の当接面が間仕切パネルの側縁部に当接した状態で上下部の駒部材のフック部が間仕切パネルの係合孔に係止されるので、連結部の強度を高めることができ、間仕切パネルを前後に揺り動かしても、連結部にねじれが生ずることを有効に防止することができる。
【００２０】
請求項２記載の発明によれば、連結杆及び駒部材は、縦枠部材の両側片内に隠され、外部に露出することがないので、外観が良好になる。
【００２１】
請求項３記載の発明によれば、連結杆の回転操作が容易になるばかりか、操作部が外部に露出せず、外観が良好になる。
【図面の簡単な説明】
【図１】  本発明の一実施例とそれにより連結しようとする２枚の間仕切パネルの一部分との分解斜視図である。
【図２】  連結杆と上下部の駒部材との分解拡大側面図である。
【図３】  連結部分の平面図である。
【符号の説明】
(１)間仕切パネル
(２)縦枠部材
(2a)側片
(３)ねじ
(４)係合孔
(６)連結杆
(6a)頭部
(6b)雄ねじ部
(７)駒部材
(7a)貫通孔
(7b)フック部
(7c)当接面
(８)駒部材
(8a)雌ねじ部
(8b)フック部
(8c)当接面
(９)回転工具
【図１】
0003673976.tif 000002
【図２】
0003673976.tif 000003
【図３】
0003673976.tif 000004